(57)【特許請求の範囲】
【請求項１】
基地局が、端末へ一つ又は複数のサブフレームを含むサブフレーム集合における各サブフレームの周波数パーティションに対応するγ値の情報を送信し、各々の周波数パーティションに対してγ値を設定して異なる周波数パーティションのアップリンク妨害レベルを制御するステップを含み、
前記基地局が前記端末へ前記サブフレーム集合における周波数パーティションに対応する前記γ値の情報を送信した後、更に、
前記端末が前記情報を受信した後、異なる周波数パーティションに対応する前記γ値に従って対応する周波数パーティションにおける送信電力を定めることを含むことを特徴とするアップリンク送信電力制御方法。
【請求項２】
前記サブフレーム集合における異なるサブフレームに対応する前記γ値が同一又は相違であることを特徴とする請求項１に記載のアップリンク送信電力制御方法。
【請求項３】
前記サブフレーム集合における異なるサブフレームにおける周波数パーティションの分割方式が同一又は相違であることを特徴とする請求項１に記載のアップリンク送信電力制御方法。
【請求項４】
前記サブフレーム集合における各サブフレームの周波数パーティションの分割方式が同一で且つ各周波数パーティションに対応するγ値が同一である時、前記γ値を一つのみ送信し、前記サブフレーム集合が周波数パーティションにおける全部のサブフレーム又は一部のサブフレームであることを特徴とする請求項１に記載のアップリンク送信電力制御方法。
【請求項５】
前記基地局が前記端末へ前記サブフレーム集合における周波数パーティションに対応する前記γ値の情報を送信することは、
前記基地局が前記端末へ前記サブフレーム集合における全部又は一部の周波数パーティションに対応する前記γ値の情報を送信することを含み、その中、一部の周波数パーティションに対応するγ値の情報を送信する場合、前記端末は、デフォルトγ値又は前記端末の最近獲得した未送信の周波数パーティションに対応するγ値を、未送信の周波数パーティションに対応するγ値として用いることを特徴とする請求項１に記載のアップリンク送信電力制御方法。
【請求項６】
前記基地局がマルチキャストシグナリング、ユニキャストシグナリング又はブロードキャストシグナリングを介して前記端末へ前記サブフレーム集合における周波数パーティションに対応する前記γ値の情報を送信することを特徴とする請求項１に記載のアップリンク送信電力制御方法。
【請求項７】
基地局が上層エンティティへ全部又は一部の周波数パーティションに対応するγ値の情報を送信し、各々の周波数パーティションに対してγ値を設定して異なる周波数パーティションのアップリンク妨害レベルを制御するステップを含み、
前記上層エンティティが自己管理ネットワークＳＯＮであり、
前記基地局が、前記ＳＯＮへ、予定周期のトリガーと、前記ＳＯＮの全体の性能が第一の条件を満たす時のトリガーと、ネットワークユニットの性能が第二の条件を満たす時のトリガーとのうちの少なくとも一つを含む予め定められたトリガーメカニズムに準じて前記γ値の情報を送信し、
前記第一の条件が、前記ＳＯＮのサービス品質閾値が前記ＳＯＮの予定のサービス品質閾値より小さい、前記ＳＯＮのネットワーク効率閾値が前記ＳＯＮの予定のネットワーク効率閾値より小さい、前記ＳＯＮのスルーアウト閾値が前記ＳＯＮの予定のスルーアウト閾値より小さい、前記ＳＯＮのセルカバー閾値が前記ＳＯＮの予定のセルカバー閾値より小さい、前記ＳＯＮのセル容量閾値が前記ＳＯＮの予定のセル容量閾値より小さい、周波数パーティションの数が変更した、周波数パーティションの送信電力が変更した、周波数パーティションの目標ＩＯＴレベルが変更した、基地局がネットワークに参加したという条件のうちの少なくとも一つを含み、
前記第二の条件が、前記ネットワークユニットのサービス品質閾値が前記ネットワークユニットの予定のサービス品質閾値より小さい、前記ネットワークユニットのネットワーク効率閾値が前記ネットワークユニットの予定のネットワーク効率閾値より小さい、前記ネットワークユニットのスルーアウト閾値が前記ネットワークユニットの予定のスルーアウト閾値より小さい、前記ネットワークユニットのセルカバー閾値が前記ネットワークユニットの予定のセルカバー閾値より小さい、前記ネットワークユニットのセル容量閾値が前記ネットワークユニットの予定のセル容量閾値より小さい、周波数パーティションの数が変更した、周波数パーティションの送信電力が変更した、周波数パーティションの目標の希望のアップリンク妨害ノイズ比率のレベルが変更した、基地局がネットワークに参加したという条件のうちの少なくとも一つを含むことを特徴とするアップリンク送信電力制御方法。
【請求項８】
前記γ値は、第一予定時間調整して得られた収束したγ値であるγ値の収束値と、第一予定時間内のγ値の瞬時値と、第一予定時間内のγ値の統計平均値とのうちの少なくとも一つを含むことを特徴とする請求項７に記載のアップリンク送信電力制御方法。
【請求項９】
第一予定時間が、一つ又は複数のサブフレームと、一つ又は複数のフレームと、一つ又は複数のスーパーフレームとのうちの一つを含むことを特徴とする請求項７に記載のアップリンク送信電力制御方法。
【請求項１０】
前記ＳＯＮが、ネットワークユニットとネットワークユニットにおける機能モジュールとのうちの少なくとも一つを含むことを特徴とする請求項７乃至９のいずれかに記載のアップリンク送信電力制御方法。
【請求項１１】
前記ネットワークユニットが、基地局、中継設備、サーバ、基地局コントローラ、アクセスサービスネットワーク、接続サービスネットワーク、コアネットワーク及びコアネットワークゲートウエイのうちの少なくとも一つを含むことを特徴とする請求項７乃至９のいずれかに記載のアップリンク送信電力制御方法。
【請求項１２】
ＳＯＮが基地局へ全部又は一部の周波数パーティションに対応する参考γ値の情報を送信し、各々の周波数パーティションに対してγ値を設定して異なる周波数パーティションのアップリンク妨害レベルを制御するステップを含み、
前記ＳＯＮが、基地局へ、全部又は一部の周波数パーティションに対応する参考γ値の情報を送信した後、更に、
基地局が前記参考γ値に従って全部又は一部の周波数パーティションに対応するγ値を調整することを含み、
前記ＳＯＮが、予定周期のトリガーと、前記ＳＯＮの全体の性能が第一の条件を満たす時のトリガーと、ネットワークユニットの性能が第二の条件を満たす時のトリガーとのうちの少なくとも一つを含む予め定められたトリガーメカニズムに準じて前記参考γ値を算出し、
前記第一の条件が、前記ＳＯＮのサービス品質閾値が前記ＳＯＮの予定のサービス品質閾値より小さい、前記ＳＯＮのネットワーク効率閾値が前記ＳＯＮの予定のネットワーク効率閾値より小さい、前記ＳＯＮのスルーアウト閾値が前記ＳＯＮの予定のスルーアウト閾値より小さい、前記ＳＯＮのセルカバー閾値が前記ＳＯＮの予定のセルカバー閾値より小さい、前記ＳＯＮのセル容量閾値が前記ＳＯＮの予定のセル容量閾値より小さい、周波数パーティションの数が変更した、周波数パーティションの送信電力が変更した、周波数パーティションの目標ＩＯＴレベルが変更した、基地局がネットワークに参加したという条件のうちの少なくとも一つを含み、
前記第二の条件が、前記ネットワークユニットのサービス品質閾値が前記ネットワークユニットの予定のサービス品質閾値より小さい、前記ネットワークユニットのネットワーク効率閾値が前記ネットワークユニットの予定のネットワーク効率閾値より小さい、前記ネットワークユニットのスルーアウト閾値が前記ネットワークユニットの予定のスルーアウト閾値より小さい、前記ネットワークユニットのセルカバー閾値が前記ネットワークユニットの予定のセルカバー閾値より小さい、前記ネットワークユニットのセル容量閾値が前記ネットワークユニットの予定のセル容量閾値より小さい、周波数パーティションの数が変更した、周波数パーティションの送信電力が変更した、周波数パーティションの目標の希望のアップリンク妨害ノイズ比率のレベルが変更した、基地局がネットワークに参加したという条件のうちの少なくとも一つを含むことを特徴とするアップリンク送信電力制御方法。
【請求項１３】
前記ＳＯＮが前記基地局へ全部又は一部の周波数パーティションに対応する前記参考γ値の情報を送信する前に、更に、
前記基地局が前記ＳＯＮへ全部又は一部の周波数パーティションに対応するγ値の情報を送信するステップを含むことを特徴とする請求項１２に記載のアップリンク送信電力制御方法。
【請求項１４】
前記ＳＯＮが前記基地局へ前記参考γ値の情報を送信する態様が、前記ＳＯＮが前記基地局へ前記参考γ値の絶対値を送信することと、前記ＳＯＮが前記基地局へ前記参考γ値と前記基地局から前記ＳＯＮへ送信された前記γ値との差の値を送信することのうちの一つを含むことを特徴とする請求項１３に記載のアップリンク送信電力制御方法。
【請求項１５】
前記ＳＯＮが前記基地局へ前記全部又は一部の周波数パーティションに対応する前記参考γ値の情報を送信した後、更に、
前記基地局が前記参考γ値に従って全部又は一部の周波数パーティションに対応するγ値を調整することを含むことを特徴とする請求項１２に記載のアップリンク送信電力制御方法。
【請求項１６】
前記ＳＯＮが、ネットワークユニットとネットワークユニットにおける機能モジュールとのうちの少なくとも一つを含むことを特徴とする請求項１２乃至１５のいずれかに記載のアップリンク送信電力制御方法。
【請求項１７】
前記ネットワークユニットが、基地局、中継設備、サーバ、基地局コントローラ、アクセスサービスネットワーク、接続サービスネットワーク、コアネットワーク及びコアネットワークゲートウエイのうちの少なくとも一つを含むことを特徴とする請求項１６に記載のアップリンク送信電力制御方法。
【請求項１８】
基地局に位置するアップリンク送信電力制御装置であって、
上層エンティティへ全部又は一部の周波数パーティションに対応するγ値の情報を送信し、各々の周波数パーティションに対してγ値を設定して異なる周波数パーティションのアップリンク妨害レベルを制御する送信モジュールを含み、
前記装置は、
前記上層エンティティが送信した全部又は一部の周波数パーティションに対応する参考γ値の情報を受信する受信モジュールと、
前記参考γ値に従って前記全部又は一部の周波数パーティションに対応するγ値を調整する調整モジュールを更に含むことを特徴とするアップリンク送信電力制御装置。
【請求項１９】
前記基地局が、ＳＯＮへ、予定周期のトリガーと、前記ＳＯＮの全体の性能が第一の条件を満たす時のトリガーと、ネットワークユニットの性能が第二の条件を満たす時のトリガーとのうちの少なくとも一つを含む予め定められたトリガーメカニズムに準じて前記γ値の情報を送信し、
前記第一の条件が、前記ＳＯＮのサービス品質閾値が前記ＳＯＮの予定のサービス品質閾値より小さい、前記ＳＯＮのネットワーク効率閾値が前記ＳＯＮの予定のネットワーク効率閾値より小さい、前記ＳＯＮのスルーアウト閾値が前記ＳＯＮの予定のスルーアウト閾値より小さい、前記ＳＯＮのセルカバー閾値が前記ＳＯＮの予定のセルカバー閾値より小さい、前記ＳＯＮのセル容量閾値が前記ＳＯＮの予定のセル容量閾値より小さい、周波数パーティションの数が変更した、周波数パーティションの送信電力が変更した、周波数パーティションの目標ＩＯＴレベルが変更した、基地局がネットワークに参加したという条件のうちの少なくとも一つを含み、
前記第二の条件が、前記ネットワークユニットのサービス品質閾値が前記ネットワークユニットの予定のサービス品質閾値より小さい、前記ネットワークユニットのネットワーク効率閾値が前記ネットワークユニットの予定のネットワーク効率閾値より小さい、前記ネットワークユニットのスルーアウト閾値が前記ネットワークユニットの予定のスルーアウト閾値より小さい、前記ネットワークユニットのセルカバー閾値が前記ネットワークユニットの予定のセルカバー閾値より小さい、前記ネットワークユニットのセル容量閾値が前記ネットワークユニットの予定のセル容量閾値より小さい、周波数パーティションの数が変更した、周波数パーティションの送信電力が変更した、周波数パーティションの目標の希望のアップリンク妨害ノイズ比率のレベルが変更した、基地局がネットワークに参加したという条件のうちの少なくとも一つを含むことを特徴とする請求項１８に記載のアップリンク送信電力制御装置。
【発明の詳細な説明】
【技術分野】
【０００１】
本発明は、通信領域に関し、具体的に、アップリンク送信電力制御方法及び装置に関する。
【背景技術】
【０００２】
無線通信システムにおいて、基地局は端末にサービスを提供する設備であり、アップリンク及びダウンリンクによって端末と通信を行う。ここで、ダウンリンク（即ち、フォーワード）は、基地局から端末への方向を指し、アップリンク（即ち、逆方向へ）は、端末から基地局への方向を指す。複数の端末は、アップリンクを介して基地局へデータを同時に送信したり、ダウンリンクを介して基地局からデータを同時に受信したりすることができる。
【０００３】
無線通信システムの周波数スペクトラムの利用効率を更に向上させるために、各自のセルができる限り全部の周波数リソースを使用することが好ましいが、この場合、セル間で同じ周波数リソースを使用するユーザの間に存在する相互妨害は、無線通信システムにおけるアップリンク性能にひどい影響を与えるものとなる。検討したところ、アップリンク送信電力を合理的に制御することによって、アップリンクセル間の妨害を効率よく制御することができる。例えば、従来の技術では、システムの周波数の帯域全体における異なる周波数パーティション（Ｆｒｅｑｕｅｎｃｙ  Ｐａｒｔｉｔｉｏｎ、ＦＰと略称する）に対して、異なる所望のアップリンク妨害ノイズ比率（Ｉｎｔｅｒｆｅｒｅｎｃｅ  ｏｖｅｒ  Ｔｈｅｒｍａｌ  Ｎｏｉｓｅ  Ｒａｔｉｏ、ＩｏＴと略称する）の値を設けて、式
【数１】
0005890307.tif 000002
に従ってユーザ送信電力を算出する（ここで、γは周波数パーティションの所望のアップリンクＩｏＴ因子を表す）。上記式は、アップリンクに使用可能な送信電力に対する制御によって、セル間におけるアップリンク妨害を制御できるが、しかし、上記方案において、γ値は周波数のパーティションの全てのサブフレームに対するものであり、且つ、システムは周波数リソース全体を周波数パーティションに一回しか分割しなく、各周波数パーティションのγの値も一回しか賦与しないので、アップリンクセル間における妨害制御の柔軟性が低下されることとなって、無線通信システムのアップリンク性能に影響を与えてしまう。
【０００４】
日増しに煩雑になっている移動通信環境の需要を満たすためには、システムのネットワーク全体性能、カバー性能と転送量を最適化させることを目的として、今の無線通信ネットワークは、多量の係る設備からアップリンク報告された測定情報を動的に分析する能力が要求され、且つ係る設備の配置パラメーターの調整情報を提出する必要がある。自己管理ネットワーク（Ｓｅｌｆ−Ｏｒｇａｎｉｚａｔｉｏｎ  Ｎｅｔｗｏｒｋ、ＳＯＮと略称する）は、ＢＳとＭＳがエアーインターフェース（Ａｉｒ  Ｉｎｔｅｒｆａｃｅ）で測定し得られた相関データを分析することによって、ＢＳを指導しそのパラメーター配置を相応的に調整させるもので、より少ない人工干渉でシステムのネットワーク全体性能、カバー性能と転送量を最適化する目的に達する。ＳＯＮは、通常、自己配置（ｓｅｌｆ  ｃｏｎｆｉｇｕｒａｔｉｏｎ）と自己最適化（ｓｅｌｆ  ｏｐｔｉｍｉｚａｔｉｏｎ）という二つの部分を含む。自己配置は、セル初期化、隣りセルの発見、マクロＢＳ自己配置などを含むＢＳの初期化及び自動配置のプロセスである。自己最適化は、ＢＳ／ＭＳからの自己管理ネットワーク技術に関係する測定結果を分析してＢＳのパラメーターを精細に調節することによって、システムの性能（例えば、サービス品質、ネットワーク効率、スルーアウト、セルカバー、セル容量）を最適化するプロセスである。ＳＯＮにおいて、ＦＦＲ（Ｆｒｉｃｔｉｏｎ  Ｆｒｅｑｕｅｎｃｙ  Ｒｅｕｓｅ、部分周波数多重化）の自己最適化（Ｓｅｌｆ−Ｏｐｔｉｍｉｚｉｎｇ  ＦＦＲ）を実現するために、システムの性能を最適化する時、ＳＯＮネットワークとＢＳとの間で必要なシグナリングのやりとりが要求される。ＳＯＮは、ＢＳからアップリンク報告された必要な情報を分析することで、相関シグナリングを送信して各自ＢＳのＦＦＲ情報の配置及び相応配置パラメーターの動的な調整を指導する。アップリンクＦＦＲが電力制御アルゴリズムと密接な関係がある。従来の技術において、ＳＯＮとＢＳとの間のγ値の調整方案に欠けるので、アップリンクセル間の妨害制御が制限されることになり、ＦＦＲの自己最適化に影響を与えている。
【０００５】
相関技術に存在する、端末のγ値に対する基地局の調整の柔軟性が不十分である一方、ＳＯＮとＢＳとの間にγ値の調整方案に欠けているので、ＦＦＲの自己最適化に影響を与えてしまう問題に対して、今、まだ、有効な解決方案が提出されていない。
【発明の概要】
【発明が解決しようとする課題】
【０００６】
本発明は、従来の技術に存在する、γ値の調整が柔軟ではなく、又はＳＯＮとＢＳとの間にγ値の調整が行われない問題に鑑みなされたもので、上記問題の少なくとも一つを解決できるアップリンク送信電力制御方法及び装置を提供することを主な目的とする。
【課題を解決するための手段】
【０００７】
上記目的に達するために、本発明は、アップリンク送信電力制御方法を提供する。
【０００８】
本発明に係るアップリンク送信電力制御方法は、基地局が、端末へ一つ又は複数のサブフレームを含むサブフレーム集合のうちの各サブフレームにおける周波数パーティションに対応するγ値の情報を送信することを含む。
【０００９】
サブフレーム集合における異なるサブフレームに対応するγ値が同一又は相違であることが好ましい。
【００１０】
サブフレーム集合における異なるサブフレームの周波数パーティションの分割方式が同一又は相違であることが好ましい。
【００１１】
サブフレーム集合における各サブフレームの周波数パーティションの分割方式が同一で且つ各周波数パーティションに対応するγ値が同一である時、γ値を一つしか送信しないことが好ましい。この場合において、サブフレーム集合が全部のサブフレームであってもよいし、一部のサブフレームであってもよい。
【００１２】
基地局が端末へサブフレーム集合における周波数パーティションに対応するγ値の情報を送信することは、基地局が端末へサブフレーム集合における全部又は一部の周波数パーティションに対応するγ値の情報を送信することを含み、その中、一部の周波数パーティションに対応するγ値の情報を送信する場合、端末は、デフォルトγ値又は端末の最近獲得した未送信の周波数パーティションに対応するγ値を、未送信の周波数パーティションに対応するγ値として用いることが好ましい。
【００１３】
基地局がマルチキャストシグナリング、ユニキャストシグナリング又はブロードキャストシグナリングを介して端末へサブフレーム集合における周波数パーティションに対応するγ値の情報を送信することが好ましい。
【００１４】
上記方法において、基地局が端末へサブフレーム集合における周波数パーティションに対応するγ値の情報を送信した後、更に、基地局が情報を受信した後、異なる周波数パーティションに対応するγ値に従って対応する周波数パーティションにおける送信電力を定めることを含むことが好ましい。
【００１５】
上記目的を実現するために、本発明は、アップリンク送信電力制御方法を提供する。
本発明に係わるアップリンク送信電力制御方法は、基地局が上層エンティティへ全部又は一部の周波数パーティションに対応するγ値の情報を送信することを含む。前記上層エンティティが自己管理ネットワークＳＯＮであることができる。
【００１６】
γ値は、第一予定時間調整して得られた収束したγ値であるγ値の収束値と、第一予定時間内のγ値の瞬時値と、第一予定時間内のγ値の統計平均値とのうちの少なくとも一つを含むことが好ましい。
【００１７】
第一予定時間が、一つ又は複数のサブフレームと、一つ又は複数のフレームと、一つ又は複数のスーパーフレームとのうちの一つを含むことが好ましい。
【００１８】
ＳＯＮが、ネットワークユニットとネットワークユニットにおける機能モジュールとのうちの少なくとも一つを含むことが好ましい。
【００１９】
ネットワークユニットが、基地局、中継設備、サーバ、基地局コントローラ、アクセスサービスネットワーク、接続サービスネットワーク、コアネットワーク及びコアネットワークゲートウエイのうちの少なくとも一つを含むことが好ましい。
【００２０】
基地局が、ＳＯＮへ、予定周期のトリガーと、ＳＯＮ全体の性能が第一の条件を満たす時のトリガーと、ネットワークユニットの性能が第二の条件を満たす時のトリガーとのうちの少なくとも一つを含む予め定められたトリガーメカニズムに準じてγ値の情報を送信することが好ましい。第一の条件が、ＳＯＮのサービス品質閾値がＳＯＮの予定のサービス品質閾値より小さい、ＳＯＮのネットワーク効率閾値がＳＯＮの予定のネットワーク効率閾値より小さい、ＳＯＮのスルーアウト閾値がＳＯＮの予定のスルーアウト閾値より小さい、ＳＯＮのセルカバー閾値がＳＯＮの予定のセルカバー閾値より小さい、ＳＯＮのセル容量閾値がＳＯＮの予定のセル容量閾値より小さい、周波数パーティションの数が変更した、周波数パーティションの送信電力が変更した、周波数パーティションの目標ＩＯＴレベルが変更した、及び基地局がネットワークに参加したという条件のうちの少なくとも一つを含む。第二の条件が、ネットワークユニットのサービス品質閾値がネットワークユニットの予定のサービス品質閾値より小さい、ネットワークユニットのネットワーク効率閾値がネットワークユニットの予定のネットワーク効率閾値より小さい、ネットワークユニットのスルーアウト閾値がネットワークユニットの予定のスルーアウト閾値より小さい、ネットワークユニットのセルカバー閾値がネットワークユニットの予定のセルカバー閾値より小さい、ネットワークユニットのセル容量閾値がネットワークユニットの予定のセル容量閾値より小さい、周波数パーティションの数が変更した、周波数パーティションの送信電力が変更した、周波数パーティションの目標の希望のアップリンク妨害ノイズ比率のレベルが変更した、及び基地局がネットワークに参加したという条件のうちの少なくとも一つを含む。
【００２１】
上記目的を実現するために、本発明は、アップリンク送信電力制御方法を提供する。
本発明に係わるアップリンク送信電力制御方法は、ＳＯＮが基地局へ全部又は一部の周波数パーティションに対応する参考γ値の情報を送信することを含む。
【００２２】
上記方法において、ＳＯＮが基地局へ全部又は一部の周波数パーティションに対応する参考γ値の情報を送信する前に、更に、基地局がＳＯＮへ全部又は一部の周波数パーティションに対応するγ値の情報を送信することを含むことが好ましい。
【００２３】
ＳＯＮが基地局へ参考γ値の情報を送信する態様が、ＳＯＮが基地局へ参考γ値の絶対値を送信することと、ＳＯＮが基地局へ参考γ値と基地局からＳＯＮへ送信されたγ値との差の値を送信することのうちの一つを含むことが好ましい。
【００２４】
上記方法において、ＳＯＮが基地局へ全部又は一部の周波数パーティションに対応する参考γ値の情報を送信した後、更に、基地局が参考γ値に従って全部又は一部の周波数パーティションに対応するγ値を調整することを含むことが好ましい。
【００２５】
ＳＯＮが、ネットワークユニットとネットワークユニットにおける機能モジュールとのうちの少なくとも一つを含むことが好ましい。
【００２６】
ネットワークユニットが、基地局、中継設備、サーバ、基地局コントローラ、アクセスサービスネットワーク、接続サービスネットワーク、コアネットワーク及びコアネットワークゲートウエイのうちの少なくとも一つを含むことが好ましい。
【００２７】
ＳＯＮが、予定周期のトリガーと、ＳＯＮ全体の性能が第一の条件を満たす時のトリガーと、ネットワークユニットの性能が第二の条件を満たす時のトリガーとのうちの少なくとも一つを含む予め定められたトリガーメカニズムに準じて参考γ値を算出することが好ましい。第一の条件が、ＳＯＮのサービス品質閾値がＳＯＮの予定のサービス品質閾値より小さい、ＳＯＮのネットワーク効率閾値がＳＯＮの予定のネットワーク効率閾値より小さい、ＳＯＮのスルーアウト閾値がＳＯＮの予定のスルーアウト閾値より小さい、ＳＯＮのセルカバー閾値がＳＯＮの予定のセルカバー閾値より小さい、ＳＯＮのセル容量閾値がＳＯＮの予定のセル容量閾値より小さい、周波数パーティションの数が変更した、周波数パーティションの送信電力が変更した、周波数パーティションの目標ＩＯＴレベルが変更した、及び基地局がネットワークに参加したという条件のうちの少なくとも一つを含む。第二の条件が、ネットワークユニットのサービス品質閾値がネットワークユニットの予定のサービス品質閾値より小さい、ネットワークユニットのネットワーク効率閾値がネットワークユニットの予定のネットワーク効率閾値より小さい、ネットワークユニットのスルーアウト閾値がネットワークユニットの予定のスルーアウト閾値より小さい、ネットワークユニットのセルカバー閾値がネットワークユニットの予定のセルカバー閾値より小さい、ネットワークユニットのセル容量閾値がネットワークユニットの予定のセル容量閾値より小さい、周波数パーティションの数が変更した、周波数パーティションの送信電力が変更した、周波数パーティションの目標の希望のアップリンク妨害ノイズ比率のレベルが変更した、及び基地局がネットワークに参加したという条件のうちの少なくとも一つを含む。
【００２８】
上記目的を実現するために、本発明は、更に、基地局に位置し、上層エンティティへ全部又は一部の周波数パーティションに対応するγ値の情報を送信する送信モジュールを含むアップリンク送信電力制御装置を提供する。
【００２９】
アップリンク送信電力制御装置は、更に、ＳＯＮが送信した全部又は一部の周波数パーティションに対応する参考γ値の情報を受信する受信モジュールと、前記参考γ値に従って前記全部又は一部の周波数パーティションに対応するγ値を調整する調整モジュールを含むことが好ましい。
【発明の効果】
【００３０】
本発明によると、基地局が動的にγ値を報告し、ＳＯＮが動的に基地局から報告されたγ値を調整して基地局へ送信し、基地局が異なるサブフレームにおいて異なるγ値を端末へ送信する方法を採用することによって、γ値の調整が柔軟ではなくＳＯＮとＢＳの間に完備なγ値の調整方案に欠けている問題が解決され、γ値の動的な送信、調整及びアップリンク送信電力の動的な制御が実現でき、そして、セル間のアップリンク妨害を柔軟に制御してネットワークの性能を最適化することができる。
【図面の簡単な説明】
【００３１】
図面は、本発明をさらに理解し、そして本明細書の一部を構成し、本発明の実施例と一緒に本発明を解釈するためであるが、本発明の限定にならない。図面において、
【図１】本発明の第１の実施例に係わるアップリンク送信電力制御方法のフローチャートである。
【図２】本発明の実例１に係わる異なる周波数リソース分割方式を採用した隣りサブフレーム同士の周波数パーティションの模式図である。
【図３】本発明の実例１に係わる各周波数パーティションにおけるγ値に基づくアップリンク送信電力制御のフローチャートである。
【図４】本発明の実例２に係わる同じ周波数リソース分割方式を採用した隣りサブフレーム同士の周波数パーティションの模式図である。
【図５】本発明の実例３に係わる異なる周波数リソース分割方式を採用した隣りサブフレーム集合同士の周波数パーティションの模式図である。
【図６】本発明の実例４に係わる同じ周波数リソース分割方式を採用した隣りサブフレーム集合同士の周波数パーティションの模式図である。
【図７】本発明の第２の実施例に係わるアップリンク送信電力制御方法のフローチャートである。
【図８】本発明の実例５のＳＯＮネットワーク構成の模式図である。
【図９】本発明の実例５におけるＦＦＲ技術を採用した隣りセクタ同士の周波数リソース配分方式及び各周波数パーティションの送信電力の模式図である。
【発明を実施するための形態】
【００３２】
相関技術に存在する問題を鑑みて、本発明の実施例は、基地局が端末へサブフレーム集合における周波数パーティションに対応するγ値の情報を送信すること、又は基地局が自己管理ネットワークＳＯＮへ全部又は一部の周波数パーティションに対応するγ値の情報を送信すること、又はＳＯＮが基地局へ全部又は一部の周波数パーティションに対応する参考γ値の情報を送信することを処理の原則とするアップリンク送信電力制御方案を提供する。該方案は、アップリンクで利用可能なリソース全体を幾つかのサブフレーム集合に分割して、各々のサブフレーム集合に対して異なる周波数パーティション分布を設け、そして、各々の周波数パーティションに対してγ値を設定して異なる周波数パーティションのアップリンク妨害レベルを制御し、また、異なるサブフレームに異なるγ値を設定して端末のアップリンク送信電力をリアルタイムに調整することによって、セル間のアップリンク妨害を柔軟に制御し、無線通信システムの性能を向上させることができる。
【００３３】
以下、図面を参照しつつ、実施例によって本発明を詳細に説明する。理解すべくのは、互いに衝突しない限り、以下の実施例及び実施例における各細部が各種の組合を行ってもよい。
【００３４】
方法の実施例
第１の実施例
本発明に係わる実施例はアップリンク送信電力制御方法を提供する。図１は本発明の第１の実施例に係わるアップリンク送信電力制御方法のフローチャートである。図１に示すように、該方法が、下記のようなステップＳ１０２乃至ステップＳ１０４を含む：
基地局が、端末へ一つ又は複数のサブフレームを含む（即ち、ある特定のサブフレーム又は複数のサブフレームである）サブフレーム集合のうちの各サブフレームにおける周波数パーティションに対応するγ値の情報を送信する（ステップＳ１０２）。上記サブフレーム集合における異なるサブフレームに対応するγ値が同一でもよいし、相違しでもよく、また、サブフレーム集合のうちの異なるサブフレームにおける周波数パーティションの分割方式が同一でもよいし、相違しでもよい。基地局が端末へサブフレーム集合における全部又は一部の周波数パーティションに対応するγ値の情報を送信することができるが、その中、一部の周波数パーティションに対応するγ値の情報を送信する場合、端末は、デフォルトγ値又は端末の最近獲得した未送信の周波数パーティションに対応するγ値を、未送信の周波数パーティションに対応するγ値として用いることできる。例えば、基地局がダウンリンクチャンネルを介してサブフレーム集合における幾つか（全部又は一部）の周波数パーティションのそれぞれに対応するγ値の情報を送信し、ここで、今回で、ある幾つかの周波数パーティションに対応するγ値が送信されない場合、端末が１又は他の値でもよい標準デフォルト配置のγ値を採用し、又は、前回で基地局から端末へ送信された又は前の数回で基地局から端末へ送信されたγ値というような最近得られた該周波数パーティションに対応するγ値を採用することができる。基地局は、マルチキャストシグナリング、ユニキャストシグナリング又はブロードキャストシグナリングを介して端末へサブフレーム集合における周波数パーティションに対応するγ値の情報を送信することができる。
【００３５】
従来の技術において、基地局から端末へ送信する周波数パーティションに対応するγ値の情報は、全部のサブフレームに対するものである。本技術案において、全部のサブフレームではなく、ある特定の一つ又は複数のサブフレームに対してγ値を送信することによって、端末のγ値に対する基地局の調整の柔軟性を向上させることができる。
【００３６】
また、従来の技術において、サブフレーム集合における各サブフレームの周波数パーティションの分割方式が同一で且つ各周波数パーティションに対応するγ値が同一である時、個々の周波数パーティションに対してγ値を送信するが、本発明においては、γ値を一つ送信することができ、具体的には、γ値を一つブロードキャストすることができる。また、本技術案において、サブフレーム集合が、ある特定の一つ又は複数のサブフレームでもよいし、全部のサブフレームでもよい。γ値を一つ送信することによって、システムリソースを節約し、端末のγ値に対する基地局の調整の柔軟性を向上させることができる。
【００３７】
具体的には、個々の周波数パーティションにおけるγ値の選択が、隣りのセルの該周波数パーティションにおける所望のアップリンクＩｏＴ値に依存する。具体的な依存関係は、実際の状況によって具体的に定められ、本発明の実施例においては限定しない。隣りのセルの該周波数パーティションにおける所望のアップリンクＩｏＴ値が大きいほど、該周波数パーティションにおけるγ値が大きくなり、逆に、隣りのセルの該周波数パーティションにおける所望のアップリンクＩｏＴ値が小さいほど、該周波数パーティションにおけるγ値が小さくなる。上述したγ値の選択と隣りのセルの該周波数パーティションにおける所望のアップリンクＩｏＴ値との依存関係は、実際の状況によって具体的に定めることができ、本発明の実施例においては限定しない。
【００３８】
端末は、上記周波数パーティションに対応するγ値の情報を受信した後、異なる周波数パーティションの個々に対応するγ値に基づいて対応する周波数パーティションにおける送信電力を定める（ステップＳ１０４）。
本実施例において、予め設けられたトリガー条件の下で、基地局が端末へγ値を複数回送信することによって、従来の技術における、システムが周波数リソース全体に対して周波数パーティションを一回しか分割しなく、各周波数パーティションのγの値も一回しか賦与しない欠点が克服し、アップリンクセル間における妨害制御の柔軟性及び無線通信システムのアップリンク性能を向上させる。
【００３９】
本発明の実施例の実現過程については、実例を結合しながら下記のように詳細に述べる。
【００４０】
実例１
図２は本発明の実例１に係わる異なる周波数リソース分割方式を採用した隣りサブフレーム同士の周波数パーティションの模式図である。図２に示すように、サブフレーム１及びサブフレーム２において、異なる周波数リソース分割方式によって周波数リソースが分割される。サブフレーム１及びサブフレーム２のアップリンク利用可能な周波数リソースは、当該帯域における所望の他のセル端末から送信されたデータによるアップリンク妨害の大きさを表す各自のγ値をそれぞれ有する幾つかの周波数パーティション（Ｆｒｅｑｕｅｎｃｙ  Ｐａｒｔｉｔｉｏｎ）に分割される。サブフレーム１において、周波数パーティションＡ、Ｂがより低いアップリンクγ値を有し、周波数パーティションＣ、Ｄがより高いアップリンクγ値を有し、即ち、サブフレーム１の場合、周波数パーティションＡ、Ｂにてより小さいアップリンク妨害が許されるが、周波数パーティションＣ、Ｄにては、より大きいアップリンク妨害が許される。サブフレーム２において、周波数パーティションＡ、Ｃがより低いアップリンクγ値を有し、周波数パーティションＢがより高いアップリンクγ値を有し、即ち、サブフレーム２の場合、周波数パーティションＡ、Ｃにてより小さいアップリンク妨害が許されるが、周波数パーティションＢにては、より大きいアップリンク妨害が許される。
【００４１】
図３は本発明の実例１に係わる各周波数パーティションにおけるγ値に基づくアップリンク送信電力制御のフローチャートである。図３は、図２に示す二つのサブフレームリソース分割方式を実例にして、該システムにおいてサブフレーム１を占める端末のアップリンク送信電力の制御のフローを説明する。具体的なステップが下記の如く：
サブフレーム１は、ダウンリンクシグナリングを介してアップリンク利用可能な、Ａ、Ｂ、Ｃ、Ｄという四つの周波数パーティションに分割された周波数リソースの分割情報を送信し、表１（表１−Ａ、表１−Ｂ、表１−Ｃ）に示すダウンリンクシグナリングを介して各周波数パーティションに対応するγ値の情報を送信する（ステップ１０１）。
【００４２】
表１−Ａは、該シグナリングを受信したサブフレーム集合からｏｆｆｓｅｔ個の連続するサブフレーム集合に渡って該シグナリングのγ値を使用することを表す。
表１−Ｂは、サブフレーム集合が標識するサブフレーム集合は該シグナリングのγ値を使用することを表し、ここで、サブフレーム集合が連続するものてもよいし、離散するものてもよい。
表１−Ｃは、同一のＢｉｔｍａｐのサブフレーム集合が対応するγ値を使用することを表し、ここで、同一のＢｉｔｍａｐのサブフレーム集合が連続するものてもよいし、離散するものてもよい。
【表１】
0005890307.tif 000003
【表２】
0005890307.tif 000004
【表３】
0005890307.tif 000005
【００４３】
端末は、各周波数パーティションに対応するγ値の情報を受信した後、異なる周波数パーティションに対応するγ値を定め、そして、式（１）に従って相応する周波数パーティションに含まれるサブキャリアにおける端末の送信電力を算出する（ステップ１０２）。
【数２】
0005890307.tif 000006
式（１）において、変数ＰＳＣは対応するサブキャリアにおける端末の送信電力を表し、Ｎは熱ノイズを表し、ＩｏＴは基地局が測定して得られたアップリンク妨害ノイズ比率で、変数ＮとＩｏＴは基地局がダウンリンクチャンネルを介して端末へ通知され、γが所望のアップリンクＩｏＴ因子で、Ｌは端末がダウンリンクチャンネル受信品質に従って定めたパースロース補償値で、ＳＩＲＤＬはダウンリンクの信号妨害比率で、Ｎｒは基地局の受信アンテナの数です。
【００４４】
説明する必要があるのは、式（１）は本発明の実施例に係わる方法の実施形態の一つで、アップリンクＩｏＴを制御できる全ての電力制御アルゴリズムを該方法の選択可能の実施形態とすることができ、本発明の実施例において限定しない。
【００４５】
実例２
図４は本発明の実例２に係わる同じ周波数リソース分割方式を採用した隣りサブフレーム同士の周波数パーティションの模式図である。図４に示すように、サブフレーム１及びサブフレーム２において、同じ周波数リソース分割方式によって周波数リソースが分割される。サブフレーム１及びサブフレーム２のアップリンク利用可能な周波数リソースは、当該帯域における所望の他のセル端末から送信されたデータによるアップリンク妨害の大きさを表する各自のγ値をそれぞれ有する幾つかの周波数パーティションに分割される。サブフレーム１において、周波数パーティションＡ、Ｂがより低いアップリンクγ値を有し、周波数パーティションＣ、Ｄがより高いアップリンクγ値を有し、即ち、サブフレーム１の場合、周波数パーティションＡ、Ｂにてより小さいアップリンク妨害が許されるが、周波数パーティションＣ、Ｄにては、より大きいアップリンク妨害が許される。サブフレーム２において、周波数パーティションＡ、Ｃがより低いアップリンクγ値を有し、周波数パーティションＢ、Ｄがより高いアップリンクγ値を有し、即ち、サブフレーム２の場合、周波数パーティションＡ、Ｃにてより小さいアップリンク妨害が許されるが、周波数パーティションＢ、Ｄにては、より大きいアップリンク妨害が許される。
【００４６】
図３は、図４に示す二つのサブフレームリソース分割方式を実例にして、該システムにおいてサブフレーム１を占める端末のアップリンク送信電力の制御のフローを説明する。具体的なステップは下記の如く：
サブフレーム１は、ダウンリンクシグナリングを介してアップリンク利用可能な、Ａ、Ｂ、Ｃ、Ｄという四つの周波数パーティションに分割された周波数リソースの分割情報を送信し、表１（表１−Ａ、表１−Ｂ、表１−Ｃ）に示すダウンリンクシグナリングを介して各周波数パーティションに対応するγ値の情報を送信する（ステップ２０１）。
【００４７】
端末は、各周波数パーティションに対応するγ値の情報を受信した後、異なる周波数パーティションに対応するγ値を定め、式（１）に従って対応する周波数パーティションに含まれるサブキャリアにおける端末の送信電力を算出する（ステップ２０２）。
【００４８】
実例３
図５は本発明の実例３に係わる異なる周波数リソース分割方式を採用した隣りサブフレーム集合の周波数パーティションの模式図である。図５に示すように、サブフレーム集合１及びサブフレーム集合２において、異なる周波数リソース分割方式によって周波数リソースが分割される。サブフレーム集合１及びサブフレーム集合２のアップリンク利用可能な周波数リソースは、当該帯域における所望の他のセル端末から送信されたデータによるアップリンク妨害の大きさを表する各自のγ値をそれぞれ有する幾つかの周波数パーティションに分割される。サブフレーム集合１において、周波数パーティションＡ、Ｂがより低いアップリンクγ値を有し、周波数パーティションＣ、Ｄがより高いアップリンクγ値を有し、即ち、サブフレーム１の場合、周波数パーティションＡ、Ｂにてより小さいアップリンク妨害が許されるが、周波数パーティションＣ、Ｄにては、より大きいアップリンク妨害が許される。サブフレーム集合２において、周波数パーティションＡ、Ｃがより低いアップリンクγ値を有し、周波数パーティションＢがより高いアップリンクγ値を有し、即ち、サブフレーム集合２の場合、周波数パーティションＡ、Ｃにてより小さいアップリンク妨害が許されるが、周波数パーティションＢにては、より大きいアップリンク妨害が許される。
【００４９】
図３は、図５に示す二つのサブフレーム集合リソース分割方式を実例にして、該システムにおいてサブフレーム集合１を占める端末のアップリンク送信電力の制御のフローを説明する。具体的なステップは下記の如く：
サブフレーム集合１は、ダウンリンクシグナリングを介してアップリンク利用可能な、Ａ、Ｂ、Ｃ、Ｄという四つの周波数パーティションに分割された周波数リソースの分割情報を送信し、表１（表１−Ａ、表１−Ｂ、表１−Ｃ）に示すダウンリンクシグナリングを介して各周波数パーティションに対応するγ値の情報を送信する（ステップ３０１）。
【００５０】
端末は、各周波数パーティションに対応するγ値の情報を受信した後、異なる周波数パーティションに対応するγ値を定め、式（１）に従って対応する周波数パーティションに含まれるサブキャリアにおける端末の送信電力を算出する（ステップ３０２）。
【００５１】
該実例において、サブフレーム集合における異なるサブフレームの周波数リソースの分割方式が同一であるものを実例として説明したが、実際の応用に際して、サブフレーム集合における異なるサブフレームの周波数リソースの分割方式が相違しでもよく、その実現原理が周波数リソースの分割方式が同一である場合とほぼ同じなので、ここでは詳細に説明しない。
【００５２】
実例４
図６は本発明の実例４に係わる同じ周波数リソース分割方式を採用した隣りサブフレーム集合同士の周波数パーティションの模式図である。図６に示すように、サブフレーム集合１及びサブフレーム集合２において、同じ周波数リソース分割方式によって周波数リソースが分割される。サブフレーム集合１及びサブフレーム集合２のアップリンク利用可能な周波数リソースは、当該帯域における所望の他のセル端末から送信されたデータによるアップリンク妨害の大きさを表する各自のγ値をそれぞれ有する幾つかの周波数パーティションに分割される。サブフレーム集合１において、周波数パーティションＡ、Ｂがより低いアップリンクγ値を有し、周波数パーティションＣ、Ｄがより高いアップリンクγ値を有し、即ち、サブフレーム１の場合、周波数パーティションＡ、Ｂにてより小さいアップリンク妨害が許されるが、周波数パーティションＣ、Ｄにては、より大きいアップリンク妨害が許される。サブフレーム集合２において、周波数パーティションＡ、Ｃがより低いアップリンクγ値を有し、周波数パーティションＢ、Ｄがより高いアップリンクγ値を有し、即ち、サブフレーム集合２の場合、周波数パーティションＡ、Ｃにてより小さいアップリンク妨害が許されるが、周波数パーティションＢ、Ｄにては、より大きいアップリンク妨害が許される。
【００５３】
図３は、図６に示す二つのサブフレーム集合リソース分割方式を実例にして、該システムにおいてサブフレーム集合１を占める端末のアップリンク送信電力の制御のフローを説明する。具体的なステップは下記の如く：
サブフレーム集合１は、ダウンリンクシグナリングを介してアップリンク利用可能な、Ａ、Ｂ、Ｃ、Ｄという四つの周波数パーティションに分割された周波数リソースの分割情報を送信し、表１（表１−Ａ、表１−Ｂ、表１−Ｃ）に示すダウンリンクシグナリングを介して各周波数パーティションに対応するγ値の情報を送信する（ステップ４０１）。
【００５４】
端末は、各周波数パーティションに対応するγ値の情報を受信した後、異なる周波数パーティションに対応するγ値を定め、式（１）に従って対応する周波数パーティションに含まれるサブキャリアにおける端末の送信電力を算出する（ステップ４０２）。
【００５５】
第２の実施例
本発明の実施例は、基地局が上層エンティティへ全部又は一部の周波数パーティションに対応するγ値の情報を送信することを含むアップリンク送信電力制御方法を提供し、ここで、上層エンティティが前記自己管理ネットワークＳＯＮであってもよい。図７は本発明の第２の実施例に係わるアップリンク送信電力制御方法のフローチャートである。図７に示すように、該方法が、下記のステップＳ７０２乃至ステップＳ７０６を含む：
基地局が、ＳＯＮへ、全部又は一部の周波数パーティションに対応する、γ値の収束値と、第一予定時間内のγ値の瞬時値と、第一予定時間内のγ値の統計平均値とのうちの少なくとも一つを含むγ値の情報を送信し（ステップＳ７０２）、ここで、γ値の収束値は第一予定時間の調整後に得られた収束したγ値で、前記第一予定時間は、一つ又は複数のサブフレームと、一つ又は複数のフレームと、一つ又は複数のスーパーフレームとのうちの一つを含むことができる。具体的には、第一予定時間内でγ値が収束可能である。
【００５６】
この場合、γ値の収束値を現在のγ値として用いることができるが、第一予定時間が完了するまでもγ値が収束しない可能性があるので、この場合、第一予定時間が完了した時のγ値の瞬時値を現在のγ値とすることができ、即ち、γ値が収束しない場合、γ値は第一予定時間が完了した時のγ値の瞬時値を含み、又は、第一予定時間内の任意の時刻のγ値の瞬時値を選択して現在のγ値としてもよい。説明する必要があるのは、どのような方法を選択してγ値を定めるかはランダムに選択でき、選択の根拠も上述選択根拠に制限されない。
【００５７】
上記基地局が、ＳＯＮとシグナリングをやり取りする全て又は一部の基地局でもよく、そして、ＳＯＮへ予め定められたトリガーメカニズムに準じてγ値の情報を送信できることが好ましい。該方法におけるＳＯＮが、ネットワークユニットとネットワークユニットにおける機能モジュールとのうちの少なくとも一つを含むことができる。ここで、ネットワークユニットが、基地局、中継設備、サーバ、基地局コントローラ、アクセスサービスネットワーク、接続サービスネットワーク、コアネットワーク及びコアネットワークゲートウエイのうちの少なくとも一つを含むことができる。
【００５８】
ＳＯＮが基地局へ全部又は一部の周波数パーティションに対応する参考γ値の情報を送信する（ステップＳ７０４）。ＳＯＮが基地局へ参考γ値の絶対値を送信する方式と、ＳＯＮが基地局へ参考γ値と基地局からＳＯＮへ送信されたγ値との差を送信する方式のうちの一つによって該参考γ値の情報を送信することができる。該ステップにおいて、ＳＯＮが予め定められたトリガーメカニズムによって参考γ値を算出することができる。
【００５９】
基地局が参考γ値に従って全部又は一部の周波数パーティションに対応するγ値を調整する（ステップＳ７０６）。
【００６０】
ステップＳ７０２及びステップＳ７０４における予め定められたトリガーメカニズムが、予定周期のトリガーと、ＳＯＮ全体の性能が第一の条件に満たす時のトリガーと、ネットワークユニットの性能が第二の条件に満たす時のトリガーとのうちの少なくとも一つを含むことができる。ここで、第一の条件が、ＳＯＮのサービス品質閾値がＳＯＮの予定のサービス品質閾値より小さい、ＳＯＮのネットワーク効率閾値がＳＯＮの予定のネットワーク効率閾値より小さい、ＳＯＮのスルーアウト閾値がＳＯＮの予定のスルーアウト閾値より小さい、ＳＯＮのセルカバー閾値がＳＯＮの予定のセルカバー閾値より小さい、ＳＯＮのセル容量閾値がＳＯＮの予定のセル容量閾値より小さい、周波数パーティションの数が変更した、周波数パーティションの送信電力が変更した、周波数パーティションの目標ＩＯＴレベルが変更した、及び基地局がネットワークに加入したという条件のうちの少なくとも一つを含むことができる。第二の条件が、ネットワークユニットのサービス品質閾値がネットワークユニットの予定のサービス品質閾値より小さい、ネットワークユニットのネットワーク効率閾値がネットワークユニットの予定のネットワーク効率閾値より小さい、ネットワークユニットのスルーアウト閾値がネットワークユニットの予定のスルーアウト閾値より小さい、ネットワークユニットのセルカバー閾値がネットワークユニットの予定のセルカバー閾値より小さい、ネットワークユニットのセル容量閾値がネットワークユニットの予定のセル容量閾値より小さい、周波数パーティションの数が変更した、周波数パーティションの送信電力が変更した、周波数パーティションの目標の所望のアップリンク妨害ノイズ比率のレベルが変更した、及び基地局がネットワークに加入したという条件のうちの少なくとも一つを含むことができる。
【００６１】
説明する必要があるのは、基地局がＳＯＮへ幾つかの（一部又は全部）の周波数パーティションに対応するγ値の情報を送信した後、ＳＯＮが、上記幾つかの周波数パーティションに対応するγ値の全部を調整して送信してもよいし、上記幾つかの周波数パーティションに対応するγ値の一部を調整して送信してもよい（一部の周波数パーティションに対応するγ値が調整不要である又はＳＯＮの演算能力に限りがあるなどが原因で）。また、ＳＯＮが基地局へ幾つかの（一部又は全部）の周波数パーティションに対応する参考γ値（即ち、調整後のγ値）の情報を送信した後、基地局は、上記参考γ値に対応する全部の周波数パーティションのγ値を調整してもよいし、上記参考γ値に対応する一部の周波数パーティションのγ値のみを調整してもよい。
【００６２】
本発明の実施例の実現過程については、実例を結合しながら下記のように詳細に述べる。
【００６３】
実例５
図８は本発明の実例５のＳＯＮネットワーク構成の模式図である。図８に示すように、それぞれＢＳ１、ＢＳ２、ＢＳ３という三つの基地局を有すると仮説し、ここで、ＭＳ１、ＭＳ２のサービング基地局がＢＳ１で、ＭＳ３、ＭＳ４のサービング基地局がＢＳ２で、ＭＳ５、ＭＳ６のサービング基地局がＢＳ３である。また、ＳＯＮは、一つのネットワークエンティティである、又は機能モジュールとしてネットワークユニット内に存在することができ、ＢＳ１、ＢＳ２、ＢＳ３と必要なシグナリングのやり取りを行う。ＳＯＮは少なくとも自己最適化ＦＦＲモジュール（Ｓｅｌｆ―Ｏｐｔｉｍｉｚｉｎｇ  ＦＦＲモジュール）を含み、さらに他の機能モジュールを含んでもよい。
【００６４】
図９は本発明の実例５におけるＦＦＲ技術を採用した隣りセクタ同士の周波数リソース配分方式及び各周波数パーティションの送信電力の模式図である。図９に示すように、ＢＳ１、ＢＳ２、ＢＳ３が利用可能な周波数リソースをＷ１、Ｗ２、Ｗ３、Ｗ４という四つの周波数パーティションに分割する。その中、Ｗ１、Ｗ２、Ｗ３がＲｅｕｓｅ３（即ち、周波数多重化因子が３である）集合に属し、Ｗ４がＲｅｕｓｅ１（即ち、周波数多重化因子が１である）集合に属する。その中、それぞれの周波数パーティションの送信電力が条件ＰＨｉｇｈ≧Ｐｒｅｕｓｅ１＞ＰＬｏｗに満たす。本実例において、ＢＳ１を実例として本発明の実施例で提供する方法を詳細に説明する。
【００６５】
基地局が、ＳＯＮへ、ＢＳＩＤ、基地局に接続される端末の数、端末の位置分布情報、端末のＷ１、Ｗ２、Ｗ３、Ｗ４におけるＳＩＮＲ値、Ｗ１、Ｗ２、Ｗ３、Ｗ４における業務負荷指示情報、Ｗ１、Ｗ２、Ｗ３、Ｗ４における妨害強さ指示情報、Ｗ１、Ｗ２、Ｗ３、Ｗ４におけるリソースメトリック情報（Ｒｅｓｏｕｒｃｅ  Ｍｅｔｒｉｃｓ、ＭＲと略称する）、Ｗ１、Ｗ２、Ｗ３、Ｗ４におけるγ値γ１、γ２、γ３、γ４との中の少なくとも一つを含む情報を報告する（ステップ９０１）。
【００６６】
その中、γ１、γ２、γ３、γ４は、一定の時間内の任意の時刻にそれぞれのＦＰに対応するγ値の瞬時値又は一定時間の調整後に得られる、それぞれのＦＰに対応するγ値の瞬時値（即ち調整後、収束しなかった場合の該一定の時間が完了した時のγ値の瞬時値）である瞬時値でもよいし、統計平均値又は収束値でもよい。本実施例において、γ１、γ２、γ３、γ４が収束値、即ち、特定の電力制御アルゴリズムを使用して一定時間の調整後に得られるγ値であることを仮説する。説明する必要があるのは、上述特定の電力制御アルゴリズムは、実際の状況に従ってランダムに選択でき、具体的な調整時間も柔軟に選択でき、本発明の実施例に限定しない。
【００６７】
その中、前記一定の時間が、一つ又は複数のサブフレーム、又は、一つ又は複数のフレーム、又は、一つ又は複数のスーパーフレームであることができる。
【００６８】
ＳＯＮは、基地局から報告された情報に従ってＢＳ１のＷ１、Ｗ２、Ｗ３、Ｗ４に対応する参考γ値γ１、γ２、γ３、γ４を定め、そして、γ１、γ２、γ３、γ４をＢＳ１へ送信する（ステップ９０２）。該ステップにおいて、ＳＯＮが基地局から報告されたγ値に沿って参考γ値を定める方法は、実際の状況に従って柔軟に選択でき、具体的な定める方法は従来の技術にも紹介があるので、ここで詳細に説明しない。
【００６９】
ＢＳ１は、個々の周波数パーティションのγ値を、規定のＦＦＲパラメーター調整タイミングで統一に調整し、又は非特定のタイミングで別々に調整し、そして、周波数パーティションの新しいγ値を本基地局の下の端末ＭＳ１、ＭＳ２へ通知する（ステップ９０３）。ここで、ＢＳ１が、直接にＳＯＮから送信されたγ１、γ２、γ３、γ４を周波数パーティションの新しいγ値として使用することができ、又は、ＢＳ１が、ＳＯＮから送信されたγ１、γ２、γ３、γ４に基づいて計算によって周波数パーティションの新しいγ値γ１１、γ２２、γ３３、γ４４を定めることができる。ＢＳ１が新しいγ値を獲得した後に、端末のアップリンク送信電力を制御できることが好ましい。
【００７０】
上記の記載から、本発明の実施例が提供するアップリンク送信電力制御方法によると、基地局とＳＯＮ自己最適化ネットワークの間のγ値の動的な送信、調整及びアップリンク送信電力の動的な制御を実現でき、よって、セル間のアップリンク妨害を柔軟に制御し、ネットワークの性能を最適化することができる。
【００７１】
第３の実施例
本実施例は、基地局に位置し、上層エンティティへ全部又は一部の周波数パーティションに対応するγ値の情報を送信する送信モジュールを含むアップリンク送信電力制御装置を提供する。また、本実施例は、更に、ＳＯＮが送信した全部又は一部の周波数パーティションに対応する参考γ値の情報を受信する受信モジュールと、前記参考γ値に従って前記全部又は一部の周波数パーティションに対応するγ値を調整する調整モジュールを含むことができる。
【００７２】
本実施例の実施形態は、第２の実施例の関連説明を参考でき、それに、上記実施例の全ての有益な効果を有するので、ここで詳細に説明しない。
【００７３】
当業者にとって、上述の本発明の各モジュール又は各ステップは共通の計算装置によって実現することができ、単独の計算装置に集中させてもよいし、複数の計算装置から構成されるネットワークに分布させてもよく、又は計算装置が実行可能なプログラムのコードによって実現することもできるので、それらを記憶装置に記憶させて計算装置によって実行することができ、又は、それらの夫々をそれぞれ集積回路ブロックに製作し、又はそれらにおける複数のモジュール又はステップを単独の集積回路モジュールに製作して実現することができることは明らかなことである。このように、本発明は如何なる指定のハードウェアとソフトウェアの結合にも限定されない。
【００７４】
以上は、本発明の好適な実施例に過ぎず、本発明を限定するものではない。当業者であれば本発明に様々な修正や変形が可能である。本発明の精神や原則内での如何なる修正、置換、改良などは本発明の保護範囲内に含まれる。
【図１】
0005890307.tif 000007
【図２】
0005890307.tif 000008
【図３】
0005890307.tif 000009
【図４】
0005890307.tif 000010
【図５】
0005890307.tif 000011
【図６】
0005890307.tif 000012
【図７】
0005890307.tif 000013
【図８】
0005890307.tif 000014
【図９】
0005890307.tif 000015